(57)【要約】【課題】  簡便に取り付けられる換気扇カバーを提供する。【解決手段】  換気扇カバー２１は、換気扇枠６１に取り付けられ、換気扇枠６１の方向に凸部２９が形成されている換気扇カバー本体２２と、凸部２９に設けられ、換気扇枠６１と換気扇カバー本体２２とを脱着自在に固定することができる固定手段（凸部に設置された第１の磁石３０及び換気扇枠６１に設置された第２の磁石３１）と、換気扇カバー本体２２の外周全縁に接続され、換気扇枠６１の側壁を覆うことができる延長部２７とを備えるものである。これによって、換気扇カバーを固定手段により換気扇枠に取り付けることができるため、換気扇カバーの取付けが簡便になる。又、換気扇枠に突起が形成されている場合にも第１の磁石と第２の磁石とを接近させ易くなるため、換気扇枠に対する機種適合性が向上する。【選択図】  図６
2018189302.tif 000002
【特許請求の範囲】
【請求項１】
換気扇枠に取り付けられる換気扇カバーであって、
前記換気扇枠の方向に凸部が形成されている換気扇カバー本体と、
前記凸部に設けられ、前記換気扇枠と前記換気扇カバー本体とを脱着自在に固定することができる固定手段と、
前記換気扇カバー本体の外周全縁に接続され、前記換気扇枠の側壁を覆うことができる延長部とを備える、換気扇カバー。
【請求項２】
前記換気扇枠には、前記換気扇カバーの方向に突出する突起が形成されており、
取付け状態において、前記凸部及び前記固定手段の前記突出方向の合計長さが前記突起の前記突出方向の長さを超えるように設定されている、請求項１記載の換気扇カバー。
【請求項３】
前記固定手段は、前記換気扇枠における前記換気扇カバー本体の前記凸部に対応する位置の表面に設置することができる接合部と、
前記凸部に設置されると共に前記接合部と接合することができる被接合部とを含む、請求項１又は請求項２記載の換気扇カバー。
【請求項４】
前記接合部及び前記被接合部は、一方が第１の磁石であり、他方が前記第１の磁石と接合可能な磁性体である、請求項３記載の換気扇カバー。
【請求項５】
前記磁性体は、第２の磁石であって、
前記第１の磁石及び前記第２の磁石は、前記換気扇カバーを前記換気扇枠に取り付ける方向視において互いに同一の形状であり、且つ、前記形状が上下１８０°回転させた時に不一致となる形状である、請求項４記載の換気扇カバー。
【請求項６】
その少なくとも一部の表面に固定手段の一方が設置された換気扇枠に取り付けられる換気扇カバーであって、
前記換気扇枠に取り付けられる際に前記固定手段の一方に対応する位置に前記換気扇枠方向に凸部が形成されている換気扇カバー本体と、
前記凸部に設置することができる前記固定手段の他方とを備え、
前記固定手段の一方と他方とが接合することにより、前記換気扇枠と前記換気扇カバー本体とを脱着自在に固定することができ、
前記換気扇カバー本体は、前記換気扇カバー本体の外周全縁に接続され、前記換気扇枠の側壁を覆うことができる延長部を備える、換気扇カバー。
【請求項７】
前記換気扇カバー本体は、その素材がポリ塩化ビニルである、請求項１から請求項６のいずれかに記載の換気扇カバー。
【発明の詳細な説明】
【技術分野】
【０００１】
この発明は換気扇カバーに関し、特に、換気扇枠に対して脱着自在に取り付けられる換気扇カバーに関するものである。
【背景技術】
【０００２】
図７は従来の換気扇カバーを換気扇枠に対して取り付ける様子を示す概略斜視図であって、（１）は取付け前の状態であり、（２）は取付け状態である。
【０００３】
図７を参照して、換気扇カバー７１は、その中央部に不織布からなるフィルター７３が取り付けられたアルミニウム箔成形体である換気扇カバー本体７２からなる。換気扇カバー本体７２の対向する両側部には係合部７４が形成されている。係合部７４には後述するフック部８８を取り付けるための取付穴７７が形成されている。又、換気扇カバー本体７２は、その下方に接続され延伸する下方延長部７５を備えている。下方延長部７５にはフィルター７３を正面視したときの左右方向に延びる罫線７６ａ、７６ｂが形成されており、下方延長部７５は罫線７６ａ、７６ｂに沿って折り曲げ自在である。
【０００４】
換気扇枠８１は、壁９０に対して脱着可能に取り付けられており、吸込口８２の周囲を支持する正面部８３と、正面部８３の四方端部に接続され壁９０側に延びる側壁８４と、側壁８４にその一方端部８６が脱着自在に取り付けられたコイルスプリング８５とから構成されている。又、コイルスプリング８５の他方端部８７には、フック部８８が形成されている。特許文献１には、このようなコイルスプリング等を用いた換気扇カバーの取付具に関する技術が開示されている。
【０００５】
換気扇カバー７１の取付けに際しては例えば、まず換気扇枠８１を壁９０から取り外し、取り外された換気扇枠８１の対向する側壁８４端部を挟着するようにして一対の薄板ピース７９を取り付け、薄板ピース７９にコイルスプリング８５を取り付ける。次に、図７の（１）で示すように換気扇カバー７１の上方端部７８を換気扇枠８１の上方側壁８９に沿わせるように重ね合わせた後、図７の（１）の一点鎖線の矢印で示すように、換気扇カバー７１全体を換気扇枠８１を覆うように嵌め込む。次に、コイルスプリング８５のフック部８８を取付穴７７に掛合させる。そして、下方延長部７５を罫線７６ａ、７６ｂに沿って換気扇枠８１側に折り曲げ、換気扇枠８１の下方側壁８０を覆う。このようにして換気扇カバー７１は換気扇枠８１に脱着自在に取り付けられ、フィルター７３により吸込口８２に流入する空気を濾過し、吸込口８２内部の換気扇の油汚れ等を防止する。
又、経時使用に伴ってフィルター７３が汚れた場合は、フック部８８を取付穴７７から外すことで、容易に換気扇カバー７１を換気扇枠８１から取り外して交換することができる。
【先行技術文献】
【特許文献】
【０００６】
【特許文献１】特開平９−７９６２６号公報
【発明の概要】
【発明が解決しようとする課題】
【０００７】
しかしながら、上記のような従来の換気扇カバー７１では、換気扇枠８１への取付けに際してまず換気扇枠８１を壁９０から取り外す等の手間が必要であり、煩雑であった。又、換気扇枠８１は高所に取り付けられていることが多く、その場合は作業箇所である換気扇枠８１の側壁８４が視認し難かったり足場を用意する必要があったりする等、更に煩雑であった。そのため、より簡便に取り付けられる換気扇カバーが待望されていた。
【０００８】
この発明は、上記のような課題を解決するためになされたもので、簡便に取り付けられる換気扇カバーを提供することを目的とする。
【課題を解決するための手段】
【０００９】
上記の目的を達成するために、請求項１記載の発明は、換気扇枠に取り付けられる換気扇カバーであって、換気扇枠の方向に凸部が形成されている換気扇カバー本体と、凸部に設けられ、換気扇枠と換気扇カバー本体とを脱着自在に固定することができる固定手段と、換気扇カバー本体の外周全縁に接続され、換気扇枠の側壁を覆うことができる延長部とを備えるものである。
【００１０】
このように構成すると、換気扇カバーを固定手段により換気扇枠に取り付けることができる。又、固定手段が第１の磁石及び第２の磁石からなる場合に、その位置ずれに係る許容範囲が大きくなる。更に、換気扇枠に換気扇カバーの方向に突出する突起が形成されている場合に換気扇カバーの取付けが突起に阻害される虞が減少する。
【００１１】
請求項２記載の発明は、請求項１記載の発明の構成において、換気扇枠には、換気扇カバーの方向に突出する突起が形成されており、取付け状態において、凸部及び固定手段の突出方向の合計長さが突起の突出方向の長さを超えるように設定されているものである。
【００１２】
このように構成すると、換気扇カバー本体の換気扇カバー方向の面に突起が接触する虞が減少する。
【００１３】
請求項３記載の発明は、請求項１又は請求項２記載の発明の構成において、固定手段は、換気扇枠における換気扇カバー本体の凸部に対応する位置の表面に設置することができる接合部と、凸部に設置されると共に接合部と接合することができる被接合部とを含むものである。
【００１４】
このように構成すると、換気扇枠に接合部と、換気扇カバーに被接合部とを設置し、換気扇カバーを換気扇枠に取り付けることで換気扇カバーは換気扇枠に固定される。
【００１５】
請求項４記載の発明は、請求項３記載の発明の構成において、接合部及び被接合部は、一方が第１の磁石であり、他方が第１の磁石と接合可能な磁性体であるものである。
【００１６】
このように構成すると、換気扇カバーの換気扇枠に対する固定が磁力によるものとなる。
【００１７】
請求項５記載の発明は、請求項４記載の発明の構成において、磁性体は、第２の磁石であって、第１の磁石及び第２の磁石は、換気扇カバーを換気扇枠に取り付ける方向視において互いに同一の形状であり、且つ、形状が上下１８０°回転させた時に不一致となる形状であるものである。
【００１８】
このように構成すると、第１の磁石及び第２の磁石について取り付けるべき方向を示唆する。
【００１９】
請求項６記載の発明は、その少なくとも一部の表面に固定手段の一方が設置された換気扇枠に取り付けられる換気扇カバーであって、換気扇枠に取り付けられる際に固定手段の一方に対応する位置に換気扇枠方向に凸部が形成されている換気扇カバー本体と、凸部に設置することができる固定手段の他方とを備え、固定手段の一方と他方とが接合することにより、換気扇枠と換気扇カバー本体とを脱着自在に固定することができ、換気扇カバー本体は、換気扇カバー本体の外周全縁に接続され、換気扇枠の側壁を覆うことができる延長部を備えるものである。
【００２０】
このように構成すると、換気扇カバーに固定手段の他方を固定し、換気扇枠に接合させることで、換気扇カバーを換気扇枠に取り付けることができる。
【００２１】
請求項７記載の発明は、請求項１から請求項６のいずれかに記載の発明の構成において、換気扇カバー本体は、その素材がポリ塩化ビニルであるものである。
【００２２】
このように構成すると、難燃性の換気扇カバーとなる。
【発明の効果】
【００２３】
以上説明したように、請求項１記載の発明は、換気扇カバーを固定手段により換気扇枠に取り付けることができるため、換気扇カバーの取付けが簡便になる。又、固定手段が第１の磁石及び第２の磁石からなる場合に、その位置ずれに係る許容範囲が大きくなるため、第１の磁石と第２の磁石との方向決めの必要性が減少し、使用勝手が向上する。更に、換気扇枠に換気扇カバーの方向に突出する突起が形成されている場合に換気扇カバーの取付けが突起に阻害される虞が減少するため、換気扇枠に対する機種適合性が向上する。
【００２４】
請求項２記載の発明は、請求項１記載の発明の効果に加えて、換気扇カバー本体の換気扇カバー方向の面に突起が接触する虞が減少するため、換気扇枠に対する機種適合性が更に向上する。
【００２５】
請求項３記載の発明は、請求項１又は請求項２記載の発明の効果に加えて、換気扇枠に接合部と、換気扇カバーに被接合部とを設置し、換気扇カバーを換気扇枠に取り付けることで換気扇カバーは換気扇枠に固定されるため、換気扇カバーの取付けが簡便となる。
【００２６】
請求項４記載の発明は、請求項３記載の発明の効果に加えて、換気扇カバーの換気扇枠に対する固定が磁力によるものとなるため、経時使用による性能劣化が軽減され、長期安定性が向上する。
【００２７】
請求項５記載の発明は、請求項４記載の発明の効果に加えて、第１の磁石及び第２の磁石について取り付けるべき方向を示唆するため、換気扇カバーの設置の際の第１の磁石及び第２の磁石の位置ずれを防止する。
【００２８】
請求項６記載の発明は、換気扇カバーに固定手段の他方を固定し、換気扇枠に接合させることで、換気扇カバーを換気扇枠に取り付けることができるため、換気扇カバーの取付けが簡便になる。
【００２９】
請求項７記載の発明は、請求項１から請求項６のいずれかに記載の発明の効果に加えて、難燃性の換気扇カバーとなるため、高温に達することのある換気扇に対しても好適に使用できる。
【図面の簡単な説明】
【００３０】
【図１】この発明の第１の実施の形態による換気扇カバーの全体形状を示す正面図である。
【図２】図１で示した換気扇カバーの換気扇枠に対する取付け前後の様子を示す右側面図であって、（１）は取付け前の状態であり、（２）は取付け状態である。
【図３】図２で示したＸ部分の概略拡大断面図であって、（１）は取付け前の状態であり、（２）は取付け状態である。
【図４】この発明の第２の実施の形態による換気扇カバーの全体形状を示す正面図であり、図１に対応するものである。
【図５】図４で示した換気扇カバーの換気扇枠に対する取付け前後の様子を示す右側面図であって、図２に対応するものであり、（１）は取付け前の状態であり、（２）は取付け状態である。
【図６】図５で示したＹ部分の概略拡大断面図であって、図３に対応するものであり、（１）は取付け前の状態であり、（２）は取付け状態である。
【図７】図７は従来の換気扇カバーを換気扇枠に対して取り付ける様子を示す概略斜視図であって、（１）は取付け前の状態であり、（２）は取付け状態である。
【発明を実施するための形態】
【００３１】
図１はこの発明の第１の実施の形態による換気扇カバーの全体形状を示す正面図であり、図２は図１で示した換気扇カバーの換気扇枠に対する取付け前後の様子を示す右側面図であって、（１）は取付け前の状態であり、（２）は取付け状態である。
【００３２】
尚、本明細書において、上下左右方向とは、図１に示すような正面方向（換気扇カバーを換気扇枠に取り付ける方向）視における上下左右方向をいう。又、前方向（表方向）とは、換気扇カバーを換気扇枠に取り付けた取付け状態を基準として、換気扇枠に対する換気扇カバー方向をいい、逆を後方向（裏方向）という。
【００３３】
まず図１を参照して、換気扇カバー１は、正面視略矩形状であって、その中央部に不織布からなるフィルター３が取り付けられた換気扇カバー本体２からなる。換気扇カバー本体２は、ポリ塩化ビニルのシートを真空成形してなり、フィルター３が取り付けられる開口４を除いた部分は厚み１ｍｍ程度である。又、換気扇カバー本体２の外周全縁には、折り曲げ自在な罫線６ａ〜６ｄを介して接続され外方に延びる延長部７（左方延長部７ａ、上方延長部７ｂ、右方延長部７ｃ、下方延長部７ｄ）が形成されている。又、下方延長部７ｄには更に、左右方向に横断するように延びる罫線６ｅが形成されている。延長部の効果については後述する。
【００３４】
又、換気扇カバー本体２には、その四隅に、取付け状態を基準として図示しない換気扇枠と反対方向（前方向）に凹む凹部９ａ〜９ｄが形成されている。図２の（１）を併せて参照して、凹部９ｂ内部には固定手段の一方としての縦長矩形シート状の第１の磁石１０ｂが嵌まり込むように両面テープを用いて設けられ、同様に凹部９ｃ内部には第１の磁石１０ｃが設けられ、図１に示した凹部９ａ、９ｄの各々の内部にも同様に第１の磁石１０ａ、１０ｄの各々が設けられている。又、図２の（２）を参照して、取付け状態において換気扇枠８１の表面の第１の磁石１０ｂ、１０ｃの各々に対応する位置（正面視において第１の磁石及び第２の磁石の少なくとも一部が重複する位置）には、あらかじめ第２の磁石１１ａ、１１ｂの各々が両面テープにより設置されている。そのため、図２の一点鎖線の矢印で示すように、第１の磁石１０ｂ、１０ｃの各々と第２の磁石１１ａ、１１ｂの各々とが重なるように換気扇カバー１を換気扇枠８１に近づけることで磁力により脱着自在に取り付けることができる。換気扇カバー１の取付け後、上方延長部７ｂ及び下方延長部７ｄの各々を、罫線６ｂ、６ｄに沿って換気扇枠８１側に折り曲げることで、換気扇枠８１の上方側壁８９及び下方側壁８０の各々の少なくとも一部を覆うように取り付けることができる。尚、上述したように下方延長部７ｄには左右方向に横断するように延びる罫線６ｅが形成されているため、下方側壁８０が平坦でない場合にも換気扇カバー１が下方側壁８０に沿うように調整することができる。
【００３５】
次に、この換気扇カバー１の取付けについてより詳細に説明する。
【００３６】
図３は図２で示したＸ部分の概略拡大断面図であって、（１）は取付け前の状態であり、（２）は取付け状態である。
【００３７】
図３を参照して、上述したように、図３の（１）で示すようにその凹部９ｂ内部に第１の磁石１０ｂが設けられた換気扇カバー１を、図３の実線の矢印で示すように換気扇枠８１に取り付けることで、図３の（２）で示す取付け状態となる。
【００３８】
そして、図３の（２）の取付け状態において、凹部９ｂの陥没方向長さＤ１、換言すれば凹部９ｂの裏面１２（換気扇枠８１方向の面）から換気扇枠８１の表面１３（換気扇カバー１方向の面）までの長さＤ１は、第１の磁石１０ｂの陥没方向長さ（即ち、厚さ）Ｄ２と第２の磁石１１ａの陥没方向長さ（即ち、厚さ）Ｄ３との合計長さと略同一（Ｄ１＝Ｄ２＋Ｄ３）に設定されている。これによって、凹部を有さない換気扇カバーの場合には、換気扇カバー本体が換気扇枠に対して固定手段の厚さの分浮き上がってしまいフィルターを介さず吸込口に空気が流入する虞があるが、本発明の換気扇カバー１は凹部９により、換気扇枠８１と換気扇カバー本体２とを当接状態に固定することができるものである。
【００３９】
更に、取付け状態において、第１の磁石１０ｂ及び第２の磁石１１ａは凹部９ｂに覆われ保護される状態となるため、第１の磁石１０ｂ及び第２の磁石１１ａが外部からの不意の衝撃により不用意に脱落する虞を減少させ、取付け状態の安定性が向上したものである。
【００４０】
このようにして、換気扇枠８１と反対方向に凹部９が形成されている換気扇カバー本体２と、凹部９内部に設けられ、換気扇枠８１と換気扇カバー本体２とを脱着自在に当接状態に固定することができる固定手段（第１の磁石１０及び第２の磁石１１）と、換気扇枠８１とからなる換気扇カバー構造体１５が構成される。これによって、換気扇枠に対して換気扇カバーが簡便且つ安定的に取り付けられ、図示しない吸込口から流入する空気を換気扇カバーのフィルターが濾過する。
【００４１】
以上説明したように、換気扇カバー１は、固定手段（第１の磁石１０及び第２の磁石１１）により換気扇枠８１に取り付けることができ、その際に固定手段（第１の磁石１０及び第２の磁石１１）を凹部９内部に設けたことにより換気扇枠８１と換気扇カバー１とを当接状態に固定することができる。即ち、固定状態において固定手段が凹部に収納される。これによって、換気扇カバーの取付けが簡便になると共に、取付け状態が安定するものである。
【００４２】
ここで、換気扇枠には、取付け状態を基準として換気扇カバーの方向に突出する突起が形成されていることがある。突起が微小でなく換気扇カバー本体の撓みにより吸収できない程度に大きい場合には換気扇カバーの取付けを阻害する虞があるため問題となる。このような問題も解決可能なこの発明の第２の実施の形態について以下説明する。
【００４３】
図４はこの発明の第２の実施の形態による換気扇カバーの全体形状を示す正面図であり、図１に対応するものである。又、図５は図４で示した換気扇カバーの換気扇枠に対する取付け前後の様子を示す右側面図であって、図２に対応するものであり、（１）は取付け前の状態であり、（２）は取付け状態である。図６は図５で示したＹ部分の概略拡大断面図であって、図３に対応するものであり、（１）は取付け前の状態であり、（２）は取付け状態である。
【００４４】
第２の実施の形態に係る換気扇カバー２１の基本的な構成は、上述した第１の実施の形態に係る換気扇カバー１と同様であるため、相違点を中心に以下説明する。
【００４５】
これらの図を参照して、換気扇カバー本体２２には、その四隅に、取付け状態を基準として換気扇枠６１の方向（後方向）に凸状の凸部２９ａ〜２９ｄが形成されている。又、凸部２９ａ〜２９ｄの各々の先端部表面には、第１の磁石３０ａ〜３０ｄの各々が両面テープを用いて設置されている。
【００４６】
又、換気扇カバー２１を取り付ける換気扇枠６１には、換気扇カバー２１の方向に突出する突起６２が形成されている。
【００４７】
そして、図６の（２）の取付け状態において、換気扇カバー本体２２から換気扇枠６１までの長さＤ４、即ち、凸部２９ｂの突出方向の長さ（換気扇カバー本体２２の裏面３２から凸部２９ｂの表面までの長さ）Ｄ５、第１の磁石３０ｂの突出方向の長さＤ６、及び、第２の磁石３１ａの突出方向の長さＤ７の合計長さ（Ｄ４＝Ｄ５＋Ｄ６＋Ｄ７）は、突起６２の突出方向の長さＤ８を超える（Ｄ４≧Ｄ８）ように設定されている。そのため、換気扇カバー本体２２の裏面３２に突起６２が接触する虞が減少する。このように、凸部を有さない換気扇カバーの場合には突起６２に接触し取付けが阻害される虞があったが、換気扇カバー２１は凸部２９を備えることによって、換気扇カバー２１を換気扇枠６１に対して浮き上がらせるように脱着自在に固定することができるものである。
【００４８】
又、換気扇カバー２１は、換気扇カバー本体２２の外周全縁に接続され、換気扇枠６１の側壁（例えば上方側壁６３）を覆うことのできる延長部２７（例えば図６の（２）に示した取付け状態において上方側壁６３を覆う上方延長部２７ｂ）を備える。そのため、換気扇カバー２１のフィルター２３を介さず図示しない吸込口に空気が流入する虞が減少する。
【００４９】
このようにして、換気扇枠６１の方向に凸部２９が形成されている換気扇カバー本体２２と、凸部２９に設けられ、換気扇枠６１と換気扇カバー本体２２とを脱着自在に固定することができる固定手段（第１の磁石３０及び第２の磁石３１）と、換気扇カバー本体２２の外周全縁に接続され、換気扇枠６１の側壁を覆うことができる延長部２７とからなる換気扇カバー構造体３５が構成される。これによって、突起が形成された換気扇枠に対して換気扇カバーが簡便に取り付けられ、図示しない吸込口から流入する空気を換気扇カバーのフィルターが濾過する。
【００５０】
以上説明したように、換気扇カバー２１にあっては、換気扇カバー２１を固定手段（第１の磁石３０及び第２の磁石３１）により換気扇枠６１に取り付けることができるため、換気扇カバーの取付けが簡便になる。又、換気扇枠６１に突起６２が形成されている場合にも第１の磁石３０と第２の磁石３１とを接近させ易くなるため、換気扇枠に対する機種適合性が向上する。更に、固定手段がシート状の第１の磁石及び第２の磁石であって、これらを凹部内部に嵌まり込むように設けた場合には、設置の方向が相違すると正確な位置で接合しない場合があったが、換気扇カバー２１にあっては多少位置ずれを起こしても取付けを完了させることができ、位置ずれに係る許容範囲が大きくなるため、第１の磁石と第２の磁石との方向決めの必要性が減少し、使用勝手が向上する。
【００５１】
尚、上記の各実施の形態では、フィルターは不織布からなるものであったが、他の素材であっても良い。又、フィルターが無く、単に換気扇枠を覆う換気扇カバーであっても本発明を同様に適用することができる。
【００５２】
又、上記の各実施の形態では、換気扇カバー本体はポリ塩化ビニルからなるものであったが、他の素材であっても良い。例えば他の合成樹脂や、アルミニウム箔成形体であっても良い。但し、ポリ塩化ビニルである場合、難燃性の換気扇カバーとなるため、高温に達することのある換気扇に対しても好適に使用でき好ましい。
【００５３】
更に、上記の各実施の形態では、換気扇カバー本体には折り曲げ自在な罫線が形成され、取付け前には平坦な状態であったが、取付け前から折り曲げられ隣接する延長部の端部同士が接続されていても良い。又、罫線が形成されていなくとも良い。
【００５４】
更に、上記の第１の実施の形態では、延長部が形成されていたが、延長部の１つ又は全部が形成されていなくとも良い。
【００５５】
更に、上記の各実施の形態では、換気扇カバー本体は特定形状であったが、他の形状であっても良い。
【００５６】
更に、上記の各実施の形態では、第１の磁石が凹部内部又は凸部の特定位置に設けられていたが、凹部内部又は凸部の他の位置に設けられていても良い。
【００５７】
更に、上記の各実施の形態では、第２の磁石が取付け前にあらかじめ換気扇枠の表面に設置されていたが、他の取付方法であっても良い。例えば、第１の磁石の換気扇枠側に第２の磁石を付けると共に第２の磁石の換気扇枠側に両面テープを貼付しておき、換気扇枠に対して換気扇カバーを取り付ける際に同時に第２の磁石を換気扇枠の表面に設置する方法でも良い。
【００５８】
更に、上記の各実施の形態では、固定手段として第１の磁石及び第２の磁石が用いられていたが、他の固定手段であっても良い。例えば面ファスナーのように、固定手段の一方を換気扇枠における換気扇カバー本体の凹部又は凸部に対応する位置の表面に設置することができる接合部とし、固定手段の他方を凹部又は凸部に設置されると共に接合部と接合することができる被接合部としても良い。このように構成することで、換気扇枠に接合部を設置すると共に換気扇カバーに被接合部を設置し、換気扇カバーを換気扇枠に取り付けることで換気扇カバーは換気扇枠に固定される。そのため、換気扇カバーの取付けが簡便になると共に、換気扇枠に接合部を設置した状態を維持しながら換気扇カバーを取り外し、接合部の位置決めの必要なく交換することが同様に容易となる。
【００５９】
更に、上記の各実施の形態では、被接合部（固定手段の一方）として第１の磁石が、又、接合部（固定手段の他方）として第２の磁石が用いられていたが、第２の磁石に代えて鉄板等の他の磁性体を用いても良い。又、第１の磁石と磁性体とは互いに位置関係を入れ替えても良い。
【００６０】
尚、上述した接合部及び被接合部は、一方が第１の磁石であり、他方が第１の磁石と接合可能な磁性体であることが好ましい。このように構成することで、換気扇カバーの換気扇枠に対する固定が磁力によるものとなるため、経時使用による性能劣化が軽減され、長期安定性が向上する。
【００６１】
更に、上記の各実施の形態では、第１の磁石及び第２の磁石が特定形状であったが、他の形状であっても良い。例えば、換気扇カバーを換気扇枠に取り付ける方向視（正面視）において互いに同一の形状であり、且つ、その形状が上下１８０°回転させた時に不一致となる形状である五角形状のもの等が挙げられる。このように構成することで、第１の磁石及び第２の磁石について取り付けるべき方向を示唆するため、換気扇カバーの設置の際の第１の磁石及び第２の磁石の位置ずれを防止することができる。
【００６２】
更に、上記の各実施の形態では、第１の磁石が凹部内部の表面に対して両面テープを用いて嵌まり込むように設置されていたが、嵌まり込むように設置されていなくとも良い。例えば、凹部が第１の磁石又は第２の磁石よりも大きく形成されていても良い。又、設置の手段は両面テープに限定されず、他の物理的又は化学的方法であっても良い。例えば接着剤を用いる方法や、設置箇所周辺に突起体を形成し第１の磁石が突起体を乗り越えることで位置を固定する方法等が挙げられる。尚、換気扇カバーの交換を容易とする観点から、第１の実施の形態のように、換気扇カバーに対する第１の磁石（被接合部）の固定強度及び換気扇枠に対する第２の磁石（接合部）の固定強度は、第１の磁石と第２の磁石とが引き合う力（接合部及び被接合部による接合強度）よりも強いことが好ましい。
【００６３】
更に、上記の第１の実施の形態では、図３に示したＤ１＝Ｄ２＋Ｄ３となるように凹部の陥没方向長さが設定されていたが、換気扇カバーの取付けが可能であれば第１の磁石と第２の磁石とが磁力が生じる程度に離間する寸法関係（Ｄ１＞Ｄ２＋Ｄ３）であっても良い。又、第１の磁石及び第２の磁石がより厚い場合や換気扇枠の表面に凹凸がある場合等、換気扇カバーが換気扇枠に対して離間する寸法関係（Ｄ１＜Ｄ２＋Ｄ３）であっても良く、実質的に吸込口に流入する空気がフィルターにより濾過されるように設定されていればこれらの場合も当接状態に含む。
【００６４】
更に、上記の各実施の形態では、凹部又は凸部が複数形成されていたが、少なくとも１つあれば良く、又その位置、範囲及び大きさは適宜変更することができる。
【００６５】
更に、上記の第２の実施の形態では、換気扇枠に突起が形成されていたが、突起が形成されていない換気扇枠に対しても同様に換気扇カバーを取り付けることができる。
【００６６】
更に、上記の第２の実施の形態では、取付け状態において、凸部及び固定手段の突出方向の合計長さが突起の突出方向の長さを超えるように設定されていたが、このように設定されていなくとも凸部を有していれば換気扇カバーの取付けが突起に阻害される虞は減少する。
【００６７】
更に、上記の第２の実施の形態では、凸部を有することで固定手段の位置は第１の実施の形態と同様に維持しておきながら換気扇カバー本体と換気扇枠の突起との接触を回避していたが、突起により換気扇カバーが換気扇枠に対して浮き上がる等して換気扇カバーとしての機能を阻害される虞を他の方法により解決しても良い。例えば、換気扇カバー本体を突起に接触しないような形状となるように折り曲げ可能な複数の罫線を形成すること、換気扇カバーにおける突起に対応する位置に、換気扇枠と反対方向に凹状の凹部を突起を覆うように形成すること、当該位置に開口を形成すること、当該位置に十字型の切れ込みを形成すること等が挙げられる。
【００６８】
更に、上記の各実施の形態では、延長部が換気扇枠の上方側壁等を覆っていたが、側壁を覆うとは、側壁の全面を覆っている必要は無く、使用時に吸込口へ流入する空気が実質的にフィルターを通過するように換気扇枠の吸込口周囲の表面を覆うように構成すれば良く、例えば特定の側壁とこれに隣接する側壁の接続部である角部のみ換気扇カバーが接していない場合も側壁を覆っている状態に含まれる。
【符号の説明】
【００６９】
１、２１…換気扇カバー
２、２２…換気扇カバー本体
７、２７…延長部
９…凹部
１０、３０…第１の磁石
１１、３１…第２の磁石
２９…凸部
６１、８１…換気扇枠
６２…突起
６３、８９…上方側壁
６４、８０…下方側壁
尚、各図中同一符号は同一又は相当部分を示す。
【図１】
2018189302.tif 000003
【図２】
2018189302.tif 000004
【図３】
2018189302.tif 000005
【図４】
2018189302.tif 000006
【図５】
2018189302.tif 000007
【図６】
2018189302.tif 000008
【図７】
2018189302.tif 000009